(57)【特許請求の範囲】
【請求項１】
腰掛け便器において人体局部を洗浄する洗浄水を吐出するノズル、を清掃するための清掃用具であって、
前記ノズルの移動範囲の上方を覆うように、前記便器に取り付けられ、可撓性を有する液不透過性のカバー部材と、
前記カバー部材に取付けられ、前記ノズルに接触して清掃を行うための清掃部と、
を備えている、清掃用具。
【請求項２】
前記カバー部材の一端部が、前記便器に取り付け可能となっており、
前記カバー部材の他端部に、前記清掃部が取り付けられている、請求項１に記載の清掃用具。
【請求項３】
前記カバー部材は、少なくとも一部に、前記一端部から他端部側にいくにしたがって、平面視における幅が狭くなる箇所を備えている、請求項２に記載の清掃用具。
【請求項４】
前記カバー部材の一端部に、当該カバー部材を前記便器に固定するための固定部材が取付けられている、請求項２または３に記載の清掃用具。
【請求項５】
前記カバー部材は、透明のシート状材料により形成されている、請求項１から４のいずれかに記載の清掃用具。
【請求項６】
前記清掃部は、前記ノズルの延びる方向に延び、当該ノズルの外周面に接触可能な断面円弧状の接触面を有する清掃部材を備えている、請求項１から５のいずれかに記載の清掃用具。
【請求項７】
前記清掃部材は、前記ノズルから離れる方向にいくにしたがって内径が小さくなるように形成されている、請求項６に記載の清掃用具。
【請求項８】
前記清掃部は、前記清掃部材の外周面を覆う、液不透過性の保護部材をさらに備えている、請求項６または７に記載の清掃用具。
【請求項９】
前記カバー部材と前記保護部材とが一体的に形成されている、請求項８に記載の清掃用具。
【請求項１０】
前記清掃部は、少なくとも前記ノズルと対向する面から、突出する突起部を有している、請求項１から９のいずれかに記載の清掃用具。
【発明の詳細な説明】
【技術分野】
【０００１】
本発明は、腰掛け便器において人体局部を洗浄する洗浄水を吐出するノズル、を洗浄するための清掃用具に関する。
【背景技術】
【０００２】
近年、腰掛け便器（所謂洋式便器）には、人体局部を洗浄するための温水洗浄装置が設けられているものが多い。この温水洗浄装置は、前進後退するノズルが設けられており、人体局部の洗浄を行う場合には、ノズルが前進し、ノズルに設けられた吐出口から洗浄水を人体局部に向けて吐出する。このようなノズルは、外周面が汚れやすく、特に吐出口が形成された上面に汚れが付着しやすい。そこで、このようなノズルを清掃するための種々の清掃用具が提案されている。
【０００３】
例えば、特許文献１に係る清掃用具は、一端に開口を有し、ノズルを収容可能な長尺のケーシングを備えている。そして、ケーシングの内部の奥端部には、ブラシが設けられている。ノズルの清掃を行うには、ノズルをケーシングの内部に誘導し、手でケーシングを動かしながら、挿入されたノズルの先端をブラシによって擦り、ノズルの清掃を行う。このとき、ノズルからは洗浄水が吐出されるが、ノズルはケーシング内にあるため、洗浄水が便器外に飛び散るのが防止される。
【０００４】
一方、特許文献２に係る清掃用具は、ブラシと、その周囲を覆う円筒状又は円錐状のカバー部材とを備えており、ノズルの先端をカバー部材で覆いつつ、ブラシで清掃するようになっている。
【先行技術文献】
【特許文献】
【０００５】
【特許文献１】実開平６−８２９９０号公報
【特許文献１】特開２００４−１９４２１号公報
【発明の概要】
【発明が解決しようとする課題】
【０００６】
しかしながら、上記各特許文献に開示された清掃用具には、次のような問題がある。まず、特許文献１の清掃用具は、ノズルの延びる方向とケーシングの延びる方向とを位置合わせした上で、ケーシング内に沿うようにしながらノズルを挿入させなければならない。また、ケーシングが長尺状であるため、ケーシングにノズルを収容した状態で、ブラシで擦るためにケーシングを移動させるのが難しいという問題がある。すなわち、ノズルの前進角度や前進長さによっては、ケーシングの可動範囲が狭くなるため、ブラシでノズルを擦りがたいという問題がある。また、ノズルの前進長さによっては、ノズルの先端にブラシが接触しない可能性もある。
【０００７】
一方、特許文献２の清掃用具は、カバー部材の長さが短いため、ノズルに対する清掃用具の可動範囲は広いが、ノズルが前進するタイミングに合わせて、素早くカバー部材でノズルの先端を覆わなければならず、タイミングを逸すると、洗浄水が便器外に飛び散るおそれがある。
【０００８】
本発明は、上記問題を解決するためになされたものであり、ノズルからの洗浄水の飛び散りを防止するとともに、種々の角度、長さのノズルに対して柔軟に対応することが可能な清掃用具を提供することを目的とする。
【課題を解決するための手段】
【０００９】
本発明に係る清掃用具は、腰掛け便器において人体局部を洗浄する洗浄水を吐出するノズル、を洗浄するための洗浄装置であって、前記ノズルの移動範囲の上方を覆うように、前記便器に取り付けられ、可撓性を有する液不透過性のカバー部材と、前記カバー部材に取付けられるとともに、前記ノズルに接触して清掃を行うための清掃部と、を備えている。
【００１０】
この構成によれば、カバー部材がノズルの移動範囲の上方を覆うように便器に取り付けられるため、ノズルからの洗浄水の飛び散りを防止することができる。また、カバー部材は可撓性を有し変形可能であるため、これに連結された清掃部はカバー部材に拘束されることなく自由に移動することができる。したがって、ノズルの前進角度や前進距離にかかわらず、ノズルに対して清掃部を柔軟に接触させて清掃することができる。
【００１１】
上記清掃用具においては、前記カバー部材の一端部が、前記便器に取り付け可能となっており、前記カバー部材の他端部に、前記清掃部が取り付けられているものとすることができる。これにより、清掃部が、カバー部材における便器への取付部分から離れるため、清掃部を移動させやすくなる。
【００１２】
また、上記清掃用具において、前記カバー部材は、少なくとも一部に、前記一端部から他端部側にいくにしたがって、平面視における幅が狭くなる箇所を備えることができる。こうすることで、カバー部材において、清掃部が取り付けられている他端部の幅が狭くなるため、清掃部をカバー部材に対して移動させやすくなる。
上記各清掃用具においては、前記カバー部材の一端部に、当該カバー部材を前記便器に固定するための固定部材を取付けることができる。
【００１３】
上記各清掃用具において、前記カバー部材は、透明のシート状材料により形成することができる。これにより、カバー部材の下方にあるノズルの移動を視認することができ、これを見ながら、清掃部をノズルに対して容易に接触させることができる。
【００１４】
上記各清掃用具において、清掃部は種々の構成にすることが可能であるが、例えば、前記清掃部が、前記ノズルの延びる方向に延び、当該ノズルの外周面に接触可能な断面円弧状の接触面を有する清掃部材を備えているものとすることができる。
【００１５】
また、前記清掃部材は、前記ノズルから離れる方向にいくにしたがって内径が小さくなるように形成することができる。これにより、清掃部材に対してノズルが前進するにしたがって、ノズルが清掃部材に接触しやすくなり、その結果、ノズルの清掃をより容易にすることができる。
【００１６】
上記各清掃用具において、前記清掃部は、前記清掃部材の外周面を覆う、液不透過性の保護部材をさらに備えることができる。これにより、清掃部を手で把持するとき、清掃部材からの水や汚れが手に付着するのを防止することができる。
【００１７】
上記各清掃用具において、前記カバー部材と前記保護部材とを一体的に形成することができる。
【００１８】
上記各清掃用具において、前記清掃部は、少なくとも前記ノズルと対向する面から、突出する突起部を有することができる。
【発明の効果】
【００１９】
本発明に係る清掃用具によれば、ノズルからの洗浄水の飛び散りを防止するとともに、種々の角度、長さのノズルに対して柔軟に対応することが可能となる。
【図面の簡単な説明】
【００２０】
【図１】本発明に係る清掃用具が対象とする温水洗浄装置付き腰掛け便器の断面図である。
【図２】図１の平面図である。
【図３】本発明に係る清掃用具の一実施形態を示す平面図である。
【図４】図３の底面図である。
【図５】図３の側面図である。
【図６】図３の清掃用具の清掃部の分解図（ａ）、組み立て図（ｂ）、及び正面図（ｃ）である。
【図７】図３の清掃用具の使用方法を説明する断面図である。
【図８】図３の清掃用具の使用方法を説明する断面図である。
【図９】図３の清掃用具の使用方法を説明する断面図である。
【図１０】図９の平面図である。
【図１１】図３の清掃用具の清掃部の他の例を示す斜視図である。
【図１２】図３の清掃用具の他の例を示す平面図である。
【図１３】図３の清掃用具の他の例を示す斜視図である。
【図１４】図３の清掃用具の他の例を示す平面図である。
【図１５】図１４の側面図である。
【図１６】図１４の清掃用具の使用方法を示す側面図である。
【図１７】（ａ）はスポンジ２００からなる清掃部材３１の平面写真であり、（ｂ）は（ａ）の拡大断面写真である。
【図１８】（ａ）はブラシ３００からなる清掃部材３１の平面写真であり、（ｂ）は（ａ）の拡大断面写真である。
【発明を実施するための形態】
【００２１】
以下、本発明に係る清掃用具の一実施形態について、図面を参照しつつ説明する。本実施形態に係る清掃用具は、腰掛け便器（所謂洋式便器）に取付けられる温水洗浄装置のノズルを清掃するためのものである。
【００２２】
図１は温水洗浄装置が取り付けられた腰掛け便器の断面図、図２は図１の平面図である。これらの図に示すように、この腰掛け便器１００に取り付けられた温水洗浄装置は、便座１０１の奥端部の下方に収容された洗浄用の円筒状のノズル１０２を備えており、このノズル１０２の上面には、上方に向かって洗浄水を吐出するための吐出口１０３が形成されている。そして、温水洗浄装置の洗浄スイッチ（図示省略）をオンにすると、ノズル１０２が前進し、便座１０１に座る利用者の局部に向けてノズル１０２の吐出口１０３から洗浄水が吐出される。そして、洗浄スイッチをオフにすると、洗浄水の吐出が停止するとともに、ノズル１０２が後退し便座の奥端部の下方に収容される。
【００２３】
このような温水洗浄装置では、ノズル１０２が汚れやすく、特に吐出口１０３が形成されたノズル１０２の上面が汚れやすい。本発明に係る清掃用具は、このようなノズル１０２の清掃を行うものである。
＜１．清掃用具の構造＞
【００２４】
まず、本実施形態に係る清掃用具の構造について説明する。図３はこの清掃用具を上側から見た平面図、図４は図３の清掃用具を下側から見た底面図、図５は図３の側面図である。以下では、清掃用具における説明の便宜上、図３の左側を前側または先端側、右側を後側または後端側と称し、図５の上側を上、下側を下と称することとする。但し、温水洗浄装置のノズルについては、突出方向を前側または先端側と称し、清掃用具の部位の方向とは反対の表示をすることがある。
【００２５】
図３〜図５に示すように、本実施形態に係る清掃用具は、矩形状のカバー部材１を備えており、カバー部材１の長手方向の先端側の端部（先端部）の下面には両面テープ２が設けられている。一方、カバー部材１の長手方向の後端側の端部（後端部）には、ノズル１０２を清掃するための清掃部３が設けられている。
【００２６】
カバー部材１は、液不透過性で可撓性のある材料で形成されており、例えば、樹脂素材よりなるシート状材料で形成することができる。カバー部材１は、後述するように、便器のノズル１０２の位置を確認できるようにするため、透明や半透明であることが好ましいが、特には限定されない。また、カバー部材１の長手方向の長さＬ（カバー部材１の先端部から清掃部材３までの長さ）は、例えば、１５〜４５ｃｍであることが好ましく、３０〜４０ｃｍであることがさらに好ましい。また、カバー部材１の幅Ｗは、例えば、１８〜４０ｃｍであることが好ましく、２２〜２８ｃｍであることがさらに好ましい。なお、この幅Ｗは、カバー部材１が矩形状以外である場合には、最も広い部分の幅を指す。
【００２７】
上記のように、カバー部材１の長手方向の先端部の下面には、この辺に沿って両面テープ２が設けられており、これにより、カバー部材１の先端部の下面を便座１０１に固定することができる。一方、カバー部材１の後端部の辺は、下方に向けて折り返されており、この折り返された部分１１（以下、「折り返し部」という）の下側の面に清掃部３が取付けられている。
【００２８】
次に、清掃部３について、図６も参照しつつ説明する。図６は清掃部の分解図（ａ）、組み立て図（ｂ）、及び先端側から見た正面図（ｃ）である。同図に示すように、清掃部３は、スポンジなどで形成された清掃部材３１と、この清掃部材３１の外周面を覆う保護シート（保護部材）３２とを備えている。清掃部材３１は、例えば、図６（ａ）に示すような台形状に形成されており、これを湾曲させている。より詳細には、清掃部材３１の長辺が先端部となり、両側部を下方に向けて湾曲させている。すなわち、下方が開放するように断面円弧状に湾曲させている。この下方を向く湾曲面が本発明の接触面に相当する。そして、この湾曲状態を維持すると共に使用者の手が汚れないようにするため、清掃部材３１の周囲を覆うように、上述した保護シート３２が取付けられている。
【００２９】
より詳細に説明すると、保護シート３２は、先端部及び後端部が開放する筒状に形成されており、先端側の開口の径が大きく、後端側の開口の径が小さくなっている。そして、この保護シート３２の内部空間に清掃部材３１が収容される。このとき、保護シート３２の先端部に清掃部材３１の先端部が配置され、保護シート３２の後端部に清掃部材３１の後端部が配置される。そして、保護シート３２の先端開口の径は、清掃部材３１が湾曲を維持する程度の形状に形成されている。なお、保護シート３２は、少なくとも先端部が開放されていれば良く、後端部は閉塞するように構成されていても良い。また、清掃部材３１が保護シート３２の内部で移動しないように、清掃部材３１を接着剤、両面テープなどで保護シート３２に固定することが好ましい。
【００３０】
こうして形成された保護シート３２の先端部の上面、つまり清掃部材３１の湾曲の凸側と対応する位置が、カバー部材１の折り返し部１１に固定される。この状態で、清掃部材３１は、保護シート３２により湾曲状態が維持されているため、図６（ｃ）に示すように、清掃部材３１と保護シート３２の下部とで、前方を向く半円状の開口が形成され、この開口に後述するようにノズルが挿入される。以下、この開口をノズル挿入用開口３３と称することとする。
＜２．清掃用具の使用方法＞
【００３１】
次に、上記のように構成された清掃用具の使用方法について、図７〜図１０を参照しつつ説明する。なお、以下の図面では、説明の便宜のため、清掃部３を把持する利用者の手を省略して示している。まず、図７に示すように、カバー部材１の先端部を、両面テープ２によって、便座１０１の奥端部に固定する。そして、清掃部３を手で把持し、ノズル１０２が前進後退する移動領域の上方をカバー部材１で覆うように、清掃部３を便座１０１の奥端部から離した位置に配置する。このとき、清掃部３は、前進したノズル１０２をノズル挿入用開口３３に挿入できるような位置に配置する。
【００３２】
そして、図８に示すように、温水洗浄装置の洗浄スイッチをオンにすると、ノズル１０２が前進し、吐出口１０３から洗浄水が上方に向かって吐出される。このとき、ノズル１０２の上方は、カバー部材１で覆われているため、吐出される洗浄水は、カバー部材１ではね返って便鉢１０４の中に落ちていく。すなわち、洗浄水が腰掛け便器１００から外部へ向かって噴射され、周囲に飛び散るのを防止することができる。そして、カバー部材１は透明であるため、カバー部材１の下方のノズル１０２の動作を観察しながら、前進してくるノズル１０２がノズル挿入用開口３３に挿入されるように、清掃部３を前方に移動させる。これに続いて、図９及び図１０に示すように、ノズル挿入用開口３３に入ったノズル１０２を清掃部材３１で掴むように、手で保護シート３２を介して清掃部材３１を握りしめつつ、手を前後に移動させたり回転させたりする。これにより、清掃部材３１がノズル１０２の延びる方向に移動しつつ、ノズル１０２の表面を擦っていく。このとき、ノズル１０２からは洗浄水が吐出し続けているため、この洗浄水による効果も相俟って、ノズル１０２の表面が清掃される。
【００３３】
そして、清掃を終了する場合には、温水洗浄装置の洗浄スイッチをオフにする。これにより、ノズル１０２からの洗浄水の吐出が停止するとともに、ノズル１０２がノズル挿入用開口３３から自動的に退出する。そして、ノズル１０２は、さらに後退しながら、便座１０１の奥端部の下方に収容される。その後、カバー部材１を便器から取り外せば、ノズル１０２の清掃が完了する。
＜３．特徴＞
以上のように、本実施形態によれば、次の特徴を有している。
＜３−１＞
【００３４】
まず、カバー部材１がノズル１０２の移動範囲の上方を覆うように腰掛け便器１００に取り付けられるため、ノズル１０２からの洗浄水の飛び散りを防止することができる。また、カバー部材１は可撓性を有し変形可能であるため、これに連結された清掃部３はカバー部材１に拘束されることなく自由に移動することができる。したがって、ノズル１０２の前進角度や前進距離にかかわらず、ノズル１０２に対して清掃部３を柔軟に接触させて清掃することができる。
＜３−２＞
【００３５】
また、液不透過性の保護シート３２により清掃部材３１が覆われ、保護シート３２を手で把持しながら清掃作業を行えるようにしているため、スポンジで形成された清掃部材３１を介して洗浄水や汚れが手に付着するのを防止することができる。
＜３−３＞
【００３６】
清掃部材３１は湾曲して円弧状に形成されており、さらに保護シート３２によって湾曲状態が維持されている。そのため、清掃部材３１の内面をノズル１０２の外周面に沿わせやすく、ノズル１０２の清掃を容易に行うことができる。さらには、汚れやすいノズル１０２の上面を集中的に清掃できると共に、清掃部材３１がノズル１０２に引っかかり難くなり、容易に清掃作業を行うことができる。
＜４．変形例＞
【００３７】
以上、本発明の一実施形態について説明したが、本発明はこれに限定されるものではなく、その趣旨を逸脱しない限りにおいて種々の変更が可能である。なお、以下の変形例は、適宜組み合わせ可能である。
＜４−１＞
【００３８】
保護シート３２は種々の態様が可能であり、少なくとも清掃部材３１を覆って、清掃部材３１からの水や汚れが手に付着しないように構成されていればよい。したがって、シート材以外で構成することもできる。但し、清掃部材３１を握りやすくするため、可撓性のある材料で形成することが好ましい。また、保護シート３２は必ずしも必須ではなく、例えば、カバー部材１に清掃部材３１を直接取り付けることもできる。但し、この場合には防水手袋を手に装着した後、清掃部材３１を手で把持して清掃を行うことが好ましい。
＜４−２＞
【００３９】
上記実施形態では、清掃部材３１を円弧状に形成しているが、これに限定されない。変形可能な平板状のものを用い、ノズル１０２に接触させるときに変形するようにしてもよい。また、図１１に示すように、筒状の清掃部材３１であってもよい。これにより、ノズルがより挿入されやすくなり、清掃が容易になる。このような清掃部材は、上記実施形態と同様に、後端側にいくにしたがって、径が小さくなるようにしてもよい。
【００４０】
上記実施形態では、清掃部材３１をスポンジによって形成しているが、ノズル１０２に接触して汚れを擦ったり、拭き取ったりできるような材料であれば、特には限定されない。例えば、紙、不織布、織布またはブラシなどで形成することもできる。また、清掃部材３１に予め洗剤などの洗浄成分を含有させておけば、清掃効果をさらに高めることができる。
【００４１】
清掃部材３１は、例えば、次のように構成することができる。すなわち、清掃部材３１におけるノズル１０２と接触する面に、複数の突起部を形成することができる。このような突起部は、例えば吐出口１０３及び部材間の隙間に入ることが可能な長さ、太さ及び強度等を備えていると好ましい。一般的には、吐出口１０３の直径及びノズル周辺の部材間の隙間は、例えば約０．１ｍｍ〜約２ｍｍであるため、これに合わせて突起部を形成することが好ましい。
【００４２】
続いて、突起部を備える清掃部材３１について、図１７及び図１８を用い、一例としてスポンジ及びブラシを例にあげて説明する。図１７（ａ）はスポンジ２００からなる清掃部材３１の平面写真であり、図１７（ｂ）は図１７（ａ）の拡大断面写真である。図１８（ａ）はブラシ３００からなる清掃部材３１の平面写真であり、図１８（ｂ）は図１８（ａ）の拡大断面写真である。
【００４３】
まず、図１７を用いて、スポンジ２００から形成される清掃部材３１について説明する。同図に示すように、この清掃部材３１は、所定のセル数を有するスポンジ２００から形成されている。スポンジ２００は、複数のスポンジ骨格２１０が複雑に絡みあうことにより形成されている。そして、スポンジの表面２２０からは、スポンジ骨格２１０の端部２１０ａが突出している。したがって、このスポンジ骨格２１０の端部２１０ａが、清掃部材３１の突起部として、ノズル１０２の吐出口１０３及びノズル１０２の部材間の隙間に入り込み、清掃を行う。
【００４４】
スポンジ２００は、例えば、セル数が約５〜約１００個／２５ｍｍであるのが好ましく、約５〜約１６個／２５ｍｍであるのがさらに好ましく、約１０〜約１６個／２５ｍｍであるのが特に好ましい。セル数が約５個／２５ｍｍ以上であると、スポンジ骨格２１０及び端部２１０ａが太く、汚れをしっかりと掻き取ることができるため、清掃効果が高いという利点がある。一方、セル数が約１００個／２５ｍｍ以下であると、スポンジ骨格２１０及び端部２１０ａが、吐出口１０３及び部材間の隙間に入りやすくなり、吐出口１０３及び部材間の隙間の清掃を十分に達成することができる。
【００４５】
また、上述のようなセル数を有するスポンジ２００を清掃部材３１として用いることで、スポンジ２００と吐出口１０３等との接触清掃によるざらざらとした使用感を感じ易い。このような効果は、スポンジ２００が、吐出口１０３から吐出される水を保水し過ぎないことによっても高まる。よって、使用者は清掃部材３１でノズル１０２が清掃されていることを感じることができる。
【００４６】
以上のようなスポンジ２００の素材としては、例えばウレタン、ポリエチレン、ポリプロピレン、熱可塑性エラストマー等の樹脂材料を発泡させた合成発泡樹脂等が挙げられる。この中でもウレタンのスポンジ２００は、ＡＢＳ（acrylonitrile butadiene styrene）樹脂製のノズル１０２に接触させて清掃しても、ノズル１０２を傷づけ難く好ましい。
【００４７】
次に、図１８を用いて、ブラシ３００から形成される清掃部材３１について説明する。清掃部材３１としてのブラシ３００は、ブラシ本体３１０と、このブラシ本体３１０から突出するブラシ毛３２０とにより形成されている。このブラシ毛３２０が、清掃部材３１の突起部として、ノズル１０２の吐出口１０３及びノズル１０２の部材間の隙間に入り込み、清掃を行う。
【００４８】
ブラシ毛３２０のブラシ本体３１０からの突出長さＬａは、例えば約１〜約５ｍｍであると好ましい。特に、ブラシ毛３２０の突出長さが約２〜約３ｍｍである場合には、ブラシ毛３２０が短いため、吐出口１０３及び部材間の隙間へのブラシ毛３２０の入り込み効果が高く、使用者は力を入れて使用感を感じつつ清掃できる。一方、ブラシ毛３２０の突出長さが約４〜約５ｍｍである場合には、ブラシ毛３２０が長くなるため、力を入れずにブラシ毛３２０を吐出口１０３及び部材間の隙間へ入り込ませることができ、吐出口１０３等の奥まで清掃が可能となる。
【００４９】
また、ブラシ毛３２０の直径は、約０．１〜約１．０ｍｍが好ましく、約０．１〜約０．５ｍｍがさらに好ましい。ブラシ毛３２０の直径が約０．１ｍｍ以上である場合には、ブラシ毛３２０の強度が強くなり、力を入れた清掃が可能となる。一方、ブラシ毛３２０の直径が約１．０ｍｍ以下である場合には、吐出口１０３及びノズル１０２の部材間の隙間への入り込みが容易となり、特に奥までの入り込みが可能となるため、清掃効果が高い。なお、ブラシ毛３２０の直径が約０．１〜約０．５ｍｍの場合には、ブラシ毛３２０が吐出口１０３及びノズル１０２の部材間の隙間の奥まで到達可能な程度に強度が適切であり、清掃効果が高い。
【００５０】
また、ブラシ毛３２０は、清掃の際にブラシ３００をノズル１０２に接触させた場合に、吐出口１０３及び部材間の隙間に入り込むことが可能な程度の本数が設けられていればよい。例えば、ブラシ３００とノズル１０２との接触位置に、少なくとも数本のブラシ毛３２０が設けられていればよい。ただし、ブラシ毛３２０は清掃部材３１全体に密に設けられていてもよい。
【００５１】
また、上述のようなブラシ３００を清掃部材３１として用いることで、図１７のようなスポンジと同様に、ブラシ３００と吐出口１０３等との接触清掃によるざらざらとした使用感を感じ易い。
【００５２】
ブラシ３００の素材としては、例えばナイロン、ポリエチレンテレフタレート等のポリエステル、ポリプロピレン等のポリオレフィン、エラストマー樹脂等が挙げられる。この中でもナイロン、ポリエステルのブラシ３００は、ＡＢＳ樹脂製のノズル１０２に接触させて清掃しても、ノズル１０２を傷づけ難く好ましい。
【００５３】
また、清掃部材３１は、上記のようなスポンジ２００やブラシ３００を複数組み合わせることによって形成されてもよい。例えば、突起部の長さ、径、材質などが異なる複数のスポンジ２００やブラシ３００を適宜、組み合わせることができる。このとき、複数のスポンジ２００のみ、あるいは、複数のブラシ３００のみで清掃部材を構成することもできる。あるいは、清掃部材３１の一部、特に、清掃対象となるノズル１０２等と対向する部位にのみ、上記のようなスポンジ２００やブラシ３００を配置することができる。その他、清掃部材３１は、上記のスポンジ２００やブラシ３００と、紙、不織布及び織布の少なくとも一つとを組み合わせて形成してもよい。
＜４−３＞
【００５４】
カバー部材１の形状は特には限定されず、上記実施形態のような矩形状以外に、種々の形状にすることが可能である。例えば、図１２（ａ）に示すように、先端側の幅を広く、後端側にいくにしたがって幅が狭くなるようにすることもできる。これにより、カバー部材１において、その幅を一定以上に確保しながらも、清掃部３が取り付けられる部分の幅が狭くなるため、清掃部３を移動させやすくなる。また、図１２（ｂ）に示すように、カバー部材をホームベース型にすることもできる。すなわち、カバー部材１の先端側から後端側にいく、少なくとも一部で幅が狭くなるようにすることができる。このとき、カバー部材１は、便座１０１の奥端部のみならず、便座１０１の両側部などに固定することもできる。
【００５５】
上記実施形態では、カバー部材１と清掃部３とを別体で構成しているが、例えば、図１３に示すように、カバー部材１の後端部を筒状又は円弧状に形成し、この筒状の部分に清掃部材３１を配置することもできる。この場合、筒状又は円弧状に形成されたカバー部材１の後端部が保護シート３２の役割を果たす。
【００５６】
また、カバー部材と清掃部とを一体化した他の例を図１４〜図１６を参照しつつ説明する。図１４はカバー部材と清掃部とを一体化した清掃用具の平面図、図１５は図１４の側面図、図１６は図１４の使用説明図である。図１４及び図１５に示すように、この清掃用具は、カバー部材１がホームベース型に形成されるとともに、後端部に、清掃部材３１を収容する筒状の収容部１９が一体的に設けられている。収容部１９は、その先端部が開放されており、後端部が閉塞するように構成されている。そして、この収容部１９に、図１１で示したような円筒状の清掃部材３１が収容されている。この清掃用具は、図１６に示すように、手で収容部１９の外周面を掴んだときに、収容部１９の前端側の全周がカバー部材１と一体となっているため、ノズル１０２の外周面（特にノズル先端側の外周面）をカバー部材１で完全に覆うことができ、洗浄水や汚れが手に付着するのを確実に防止することができる。
【００５７】
上記実施形態では、カバー部材１の先端部に両面テープ２を設け、これによってカバー部材１を便座１０１に取り付けているが、これに限定されるものではない。両面テープ２以外のクリップ、クランプ、フックなどの固定部材を利用してカバー部材１を腰掛け便器１００に固定することもできる。また、このような固定部材を設けず、例えば、カバー部材１の先端部を、便鉢１０４と便座１０１の間に挟んで固定することができる。すなわち、カバー部材１の端部が腰掛け便器１００に固定できるように構成されていればよい。
【符号の説明】
【００５８】
１        ：カバー部材
２        ：両面テープ（固定部材）
３        ：清掃部
３１      ：清掃部材
３２      ：保護シート（保護部材）
１００    ：腰掛け便器
１０２    ：ノズル
【図１】
0006660224.tif 000002
【図２】
0006660224.tif 000003
【図３】
0006660224.tif 000004
【図４】
0006660224.tif 000005
【図５】
0006660224.tif 000006
【図６】
0006660224.tif 000007
【図７】
0006660224.tif 000008
【図８】
0006660224.tif 000009
【図９】
0006660224.tif 000010
【図１０】
0006660224.tif 000011
【図１１】
0006660224.tif 000012
【図１２】
0006660224.tif 000013
【図１３】
0006660224.tif 000014
【図１４】
0006660224.tif 000015
【図１５】
0006660224.tif 000016
【図１６】
0006660224.tif 000017
【図１７】
0006660224.tif 000018
【図１８】
0006660224.tif 000019